(57)【要約】【課題】建築現場などの工事現場に見られる養生ネットシートを利用して広告を掲載することを容易にスピードアップできる広告掲載を効果的に行える。【解決手段】インターネット、公衆回線、双方向通信機能をもったテレビジョンシステム、ケーブルネットワークシステム、携帯情報端末、携帯電話、または独自に設置した通信ネットワークシステムのひとつまたは二つ以上を用いることを特徴とし、ビル所有者、または施工主およびその代理人が宣伝媒体として利用できる物件の情報を提供するステップと、広告代理人または広告物を製作する者が広告媒体の種類・効果・価値を算出し提示するステップと、広告・宣伝の掲載希望者が希望の物件を検索することのできるステップをリンクさせ、コンピューターシステム上に登録・公開し、システム自体がコーディネーターとなって情報を仲介する機能をもつ宣伝広告システムおよびソフトウェア。【選択図】        図１
2004185136.tif 000002
【特許請求の範囲】
【請求項１】
インターネット、公衆回線、双方向通信機能をもったテレビジョンシステム、ケーブルネットワークシステム、携帯情報端末、携帯電話、または独自に設置した通信ネットワークシステムのひとつまたは二つ以上を用いることを特徴とし、ビル所有者、または施工主およびその代理人が宣伝媒体として利用できる物件の情報を提供するステップと、広告代理者または広告物を製作する者が広告媒体の種類・効果・価値を算出し提示するステップと、広告・宣伝の掲載希望者が希望の物件を検索することのできるステップをリンクさせ、コンピューターシステム上に登録・公開し、システム自体がコーディネーターとなって情報を仲介する機能をもつ宣伝広告システムおよびソフトウェア。
【請求項２】
広告代理者または広告物を製作する者が、ビル所有者、または施工主およびその代理人からインプットされた建築予定のビルの住所、広告可能スペース、広告可能期間等の情報から概算広告料金を算出し情報を提供するステップと、広告・宣伝の掲載希望者に対して、少なくとも広告可能な建築予定のビルの所在地、広告の媒体効果を仮想現実（バーチャルリアリティー）で画面表示することができ、広告掲載に関する条例等の諸条件、広告制作費、広告宣伝料等の経済的諸情報を検索・確認することができる情報を提供するステップ、広告・宣伝の掲載希望者の情報、広告料の情報をビル所有者、または施工主およびその代理人にフィードバックするステップ、さらにはビル所有者、または施工主およびその代理人からインプットされた最終決定の情報を広告・宣伝の掲載希望者に伝えるステップを有する請求項１記載の宣伝広告システムおよびソフトウェア。
【請求項３】
ビル所有者、または施工主およびその代理人が、少なくとも建築または改築予定のビルの住所、広告可能スペース、広告可能期間をインプットすることにより、概算広告収入を確認することができるステップと、広告掲載を認めるにあたっての必要条件をインプットする物件登録のステップ、さらには条件に適合した広告・宣伝の掲載希望者の候補の中から最終掲載希望者と広告収入を選択・決定するステップを有する請求項１乃至２記載の宣伝広告システムおよびソフトウェア。
【請求項４】
建築中のビルに広告・宣伝の掲載希望者に対し、広告可能な建築予定のビルの所在地、広告の媒体効果を仮想現実（バーチャルリアリティー）で画面表示することができ、広告掲載に関する法律条例等の規制の諸条件、広告制作費、広告宣伝料等の経済的諸情報を検索・確認することができるステップ、広告・宣伝の掲載希望者が広告代理人または広告物を製作する者に対して広告掲載希望の意思表示を伝えるステップ、さらには広告代理者または広告物を製作する者よりの最終決定の情報を受け取るステップを有する請求項１乃至３記載の宣伝広告システムおよびソフトウエア。
【発明の詳細な説明】
【０００１】
【発明が属する技術分野】
本発明は、建築現場などの工事現場に見られる養生ネットシートを利用して広告を掲載することに関するものである。
【０００２】
【従来の技術】
これまで、建設工事中のビル壁面等への広告は、建築工事現場での宣伝広告方法（特開平５−１４１１０１）や養生ネットシートへの間接印刷の方法（特開平８−３３７０４１）がある。しかし、▲１▼ビル所有者または施工主以外の広告・宣伝の掲載希望者にとって、物件の工事期間・立地条件・広告媒体効果・広告費用など、広告を行うために必要な情報をスピーディに得ることが難しく、広告媒体として価値を創出することができなかった。また、▲２▼広告媒体を管理する広告代理者等にとっても、建設予定の物件の情報を数多くスピーディに知ることが難しく、新たな広告媒体としての価値を創出することができなかった。
【０００３】
そのため、建設工事中のビル壁面等への広告をビル所有者または施工主が横断幕や懸垂幕等を用いて広告を行うことはあっても、広く一般の広告・宣伝の掲載希望者が広告媒体として活用することができなかった。
【０００４】
【発明が解決しようとする課題】
建築中ビルの養生ネット等が、一般的な広告媒体として活用されていないのは、新たなビル建設予定の情報、広告媒体の立地条件、広告媒体の効果、広告費用等を、広告媒体として存在する期間が工事期間中という限られた期間であることに対して、その限られた工期を有効に活用するために必須となる時間的制約に対して、タイムリーかつスピーディに広告・宣伝の掲載希望者に提供することができなかったためである。本発明はこれらを効率的に行えることを目的としている。
【０００５】
【課題を解決するための手段】
本発明は、ビル所有者や施工主以外の一般の広告・宣伝の掲載希望者が、新たな広告媒体としての価値を見出すために必要な情報（宣伝広告したい場所、大きさ、期間、内容など）と、ビル所有者または施工主がもっている情報（ビルの建設予定地、工事期間、ビルの大きさなど）、さらに広告代理者が提供する情報（媒体価値、広告宣伝費用など）をタイムリーかつスピーディにリンクさせて提供することで、新たな広告媒体としての価値を創出するものである。
【０００６】
この発明は、インターネット、公衆回線、双方向通信機能をもったテレビジョンシステム、ケーブルネットワークシステム、携帯情報端末、携帯電話、または独自に設置した通信ネットワークシステムのひとつまたは二つ以上を用いることを特徴とし、ビル所有者、または施工主およびその代理人が宣伝媒体として利用できる物件の情報を提供するステップと、広告代理者または広告物を製作する者が広告媒体の種類・効果・価値を算出し提示するステップと、広告・宣伝の掲載希望者が希望の物件を検索することのできるステップをリンクさせ、コンピューターシステム上に登録・公開し、システム自体がコーディネーターとなって情報を仲介する機能をもつ宣伝広告システムおよびソフトウェアであることを要旨としている。
【０００７】
上記のシステムにおいて、広告代理者または広告物を製作する者が、ビル所有者、または施工主およびその代理人からインプットされた建築予定のビルの住所、広告可能スペース、広告可能期間等の情報から概算広告料金を算出し情報を提供するステップと、広告・宣伝の掲載希望者に対して、少なくとも広告可能な建築予定のビルの所在地、広告の媒体効果を仮想現実（バーチャルリアリティー）で画面表示することができ、広告掲載に関する条例等の諸条件、広告制作費、広告宣伝料等の情報を提供するステップ、広告・宣伝の掲載希望者の情報、広告料の情報をビル所有者、または施工主およびその代理人にフィードバックするステップ、さらにはビル所有者、または施工主およびその代理人からインプットされた最終決定の情報を広告・宣伝の掲載希望者に伝えるステップを有する、情報を仲介する機能をもつ宣伝広告システムおよびソフトウェアとすることができる。
【０００８】
この構成によれば、ビル所有者、または施工主およびその代理人が、少なくとも建築または改築予定のビルの住所、広告可能スペース、広告可能期間をインプットすることにより、概算広告収入を確認することができるステップと、広告掲載を認めるにあたっての必要条件をインプットする物件登録のステップ、さらには条件に適合した広告・宣伝の掲載希望者の候補の中から最終掲載希望者と広告収入を選択・決定するステップを有する、上記の宣伝広告システムおよびソフトウェアとすることができる。
【０００９】
また、この構成によれば、広告代理者または広告物を製作する者が、ビル所有者、または施工主およびその代理人からインプットされた建築予定のビルの住所、広告可能スペース、広告可能期間等の情報から概算広告料金を算出し情報を提供するステップと、広告・宣伝の掲載希望者に対して、少なくとも広告可能な建築予定のビルの所在地、広告の媒体効果を仮想現実（バーチャルリアリティー）で画面表示することができ、広告掲載に関する条例等の諸条件、広告制作費、広告宣伝料等の経済的諸情報を検索・確認することができる情報を提供するステップと、広告・宣伝の掲載希望者の情報、広告料の情報をビル所有者、または施工主およびその代理人にフィードバックするステップと、さらにはビル所有者、または施工主およびその代理人からインプットされた最終決定の情報を広告・宣伝の掲載希望者に伝えるステップとを有する宣伝広告システムおよびソフトウェアとすることができる。
【００１０】
【発明の実施の形態】以上説明したこの発明の構成・作用を一層あきらかにするために、以下にこの発明の実施の形態を実施例に基づき説明する。なお、本発明は、以下に説明する実施例に限られるものではない。
【００１１】
【実施例】
図１は、１）物件提供者（ビル所有者または施工主およびその代理人）、２）物件管理者（システム仲介者）、３）広告希望者（クライアント）、および４）広告制作者（広告代理人・広告物作成者）がそれぞれの端末やサーバーを使用して情報の交換・処理を行う流れを示している。
【００１２】
図１を基に本システムを説明する。
図１−▲１▼  物件提供者は、提供者の端末を利用してインターネット等のネットワークシステムを使用し、物件管理サーバーに、建築・改築（予定を含む。）の物件の  イ．建築中の時期、ロ．場所、ハ．大きさ（間口、奥行き、高さ、広告可能スペース）、ニ．建物完成時の用途、ホ．広告の内容制限、等の情報を入力する（図７：物件ＤＢの登録内容の一例）。また、このとき、ヘ．完成予定図などの画像データも添付可能とする（図５：一例）。
【００１３】
図１−▲２▼  物件管理者のサーバーから、広告制作者は前記情報を入手し、予めデータベースとして蓄えられている住所データ（地価データ）、流動人口データ、等を参照にして、広告媒体効果を推測し、
図１−▲３▼  広告作成情報として、イ．広告媒体の種類、ロ．予想される効果、ハ．広告媒体予想料金、を含む「概算広告料金」の情報を物件管理サーバーにすみやかにフィードバックする。また、このとき、ニ．完成予想図（図６：一例）などの画面データに広告媒体を組み合わせた仮想現実（バーチャルリアリティ）の画も作成可能とする。
【００１４】
物件管理サーバーでは、両者の情報を処理し、
図１−▲４▼  広告物件の情報である  イ．物件提供者からの情報、ロ．広告媒体の種類ごとの概算広告料金、ハ．広告掲載の効果、ニ．仮想現実（バーチャルリアリティ）の画を物件提供者に提示し、同意が得られれば、ホ．契約から掲載までの時期を公開する。
【００１５】
広告・宣伝の掲載希望者は、物件管理者のサーバーにアクセスすることで、希望の広告掲載物件を地域や広告料金をキーにして容易に検索することができ、また、その内容をビジュアルで確認することにより、遠隔地からでも情報を得ることで選定することができ、その希望物件に掲載希望の依頼の登録を行うことができる。該掲載希望者の情報を物件管理者は、物件提供者にフィードバックする。
【００１６】
物件提供者は、希望者の依頼を受けるか、拒絶するかを決定し、物件管理者サーバーにその旨を登録し、物件管理者はその決定を該掲載希望者に送信すると共に、広告制作者にも通知する。最終的には、４者間で合意に至る契約を締結することで、本システムの目的を達成する。
【００１７】
広告媒体の種類としては、従来の横断幕や懸垂幕だけでなく、養生ネットに直接広告内容を印刷したものや、養生ネット自体に図柄や文字を編込んだもの、広告内容を印刷したシートを養生ネットに取り付け一体化したものがある。また、発光ダイオードを織り込んだシートや、電飾掲示板、ネオンサインなどを用い、夜間の広告効果を高めたものも、広告媒体として利用することも可能である。
さらには、液晶ディスプレーを利用したり、映写スクリーンに広告内容を投影するなど、広告内容を随時変更でき、しかも広告効果を高めた新しい広告媒体も含まれる。また、養生ネットに限らず、養生シート、養生パネル、建設重機などの、建築現場における重機備品に対する印刷、塗装、ラッピング広告も、広告媒体として含まれる。
【００１８】
【発明の効果】
以上説明したように本発明の養生ネット広告等を利用した広告のシステムは、遠隔地からでも建築現場への広告を掲載する手続きが行え、建築施工主の建築コストを下げることができる効果がある。
【００１９】
【図面の簡単な説明】
【図１】物件提供者端末、物件管理サーバー、広告希望端末、広告制作者端末からの流れを示した説明図である。（実施例１）
【図２】広告掲載依頼者の手続きを示した説明図である。
【図３】広告制作情報登録者の手続きを示した説明図である。
【図４】物件登録者の手続きを示した説明図である。
【図５】仲介システムでのバーチャルリアリティの紹介画像および地図
【図６】バーチャルリアリティの紹介画像および物件管理者が提供する情報の表示例
【図７】物件データベースの登録内容の表示例
【図１】
2004185136.tif 000003
【図２】
2004185136.tif 000004
【図３】
2004185136.tif 000005
【図４】
2004185136.tif 000006
【図５】
2004185136.tif 000007
【図６】
2004185136.tif 000008
【図７】
2004185136.tif 000009